(57)【要約】【課題】簡単な構造で、吊荷に固定された吊輪を人手によらず容易に掛け外しできる外れ止め付クレーンフックを提供することである。【解決手段】クレーンフックの外れ止め装置６を、フック本体１の首部１ｂに固定されるブラケット７と、フック本体１の鉤部１ａの湾曲方向と平行な垂直面内で回動するフレーム８と、フレーム８に鉤部１ａの湾曲方向と直交する面内で回動自在に取り付けられた外れ止め片９とで構成することにより、吊輪Ａを掛けるときには、フック本体１の平行移動により、外れ止め片９を吊輪Ａ上端部で鉤部１ａの奥側へ回動させて外れ止めを解除し、吊輪Ａを外すときは、フック本体１をわずかに下降させて旋回させることにより、外れ止め片９を吊輪Ａ上端部で鉤部１ａの湾曲方向と直交する方向に回動させて外れ止めを解除できるようにしたのである。【選択図】  図６
2005022806.tif 000002
【特許請求の範囲】
【請求項１】
クレーンに水平面内で旋回可能に取り付けられるフック本体と、フック本体の鉤部の開口を閉じて鉤部に掛けた吊輪の脱出を防止する外れ止め装置とからなる外れ止め付クレーンフックにおいて、前記外れ止め装置が、前記フック本体の首部に前記鉤部の湾曲方向と平行な垂直面内で回動自在に取り付けられたフレームと、このフレームに前記鉤部の湾曲方向と直交する面内で回動自在に取り付けられて、鉤部の開口を開閉する外れ止め片とを備えていることを特徴とする外れ止め付クレーンフック。
【請求項２】
前記外れ止め片が、前記鉤部の開口を閉じる方向にばねで付勢されていることを特徴とする請求項１に記載の外れ止め付クレーンフック。
【請求項３】
前記フレームに、前記鉤部の先端側へのフレームの回動を規制するストッパを設けたことを特徴とする請求項１または２に記載の外れ止め付クレーンフック。
【発明の詳細な説明】
【０００１】
【発明の属する技術分野】
この発明は、外れ止め装置を備えたクレーンフックに関する。
【０００２】
【従来の技術】
鋳造工場においては、一般に、溶湯が入った取鍋を天井クレーンで搬送する際に、取鍋に固定した吊輪をクレーンフックに掛けて取鍋を吊り上げている。このクレーンフックについては、安全面から、フック本体の鉤部に掛けた吊輪の脱出を防止するための外れ止め装置を装着することが好ましく、通常は、フック本体の首部に、鉤部の湾曲方向と平行な垂直面内で回動して鉤部の開口を開閉する外れ止め片を取り付けていることが多い。
【０００３】
上記のような外れ止め片を取り付けた場合、取鍋の吊輪をフックに掛けるときは、クレーン操作により、吊輪の上端部に接近させたフックを平行移動させて、吊輪で外れ止め片を鉤部の奥側へ回動させることにより、鉤部の開口を開いて外れ止めを解除しながら吊輪を掛けることができる。しかし、取鍋搬送後に吊輪を外すときには、玉掛作業者が外れ止め片を鉤部の奥側へ回動させて保持することにより外れ止めを解除し、この状態で別の作業者がクレーンを操作してフックを吊輪から離す作業を行っており、作業効率や安全性の面で問題があった。
【０００４】
これに対して、クレーンフックに装着する外れ止め装置を遠隔操作できるようにすれば（例えば、特許文献１参照。）、吊輪の掛け外しを行うときに玉掛作業者なしで外れ止めの解除ができ、上記の問題を解決できる。
【０００５】
【特許文献１】
実開平６−７３０６０号公報
【０００６】
しかし、この方法を採用すると、駆動モータや制御装置等を外れ止め装置本体と別に取り付ける必要があり、クレーンフック全体の構造が複雑になって、設備コストが高くなるうえ、メンテナンスにも手間がかかるようになる。
【０００７】
一方、簡単な構造で、玉掛作業者が吊輪をフック本体の鉤部から容易に外すことができるクレーンフックとして、フック本体の首部に外嵌部材を水平面内で回動自在に嵌め込み、この外嵌部材に鉤部の開口を開閉する外れ止め片（突出部材）を取り付けたものが提案されている（特許文献２参照。）。
【０００８】
【特許文献２】
特開昭５８−１３０８７９号公報
【０００９】
このクレーンフックは、玉掛作業者が外れ止め片を水平方向に回動させることにより、鉤部の開口を開いて外れ止めを解除するようになっている。従って、フックがクレーンに旋回可能に取り付けられている場合には、取鍋が着地した状態で、外れ止め片を吊輪の上端部に接触させてフックを旋回させることにより、外れ止め片を水平方向に回動させて、玉掛作業者なしで外れ止めを解除することも考えられる。
【００１０】
上述したフックの旋回を利用して外れ止めを解除する方法では、フックを旋回させる前に、クレーン操作によりフックを平行移動させて、外れ止め片を吊輪の上端部でスムーズに押し回される位置にセットしておく必要がある。この位置合わせは、吊輪を外す際には、フックを取鍋を着地させたときの位置からわずかに下降させるだけで容易に行えるが、吊輪を掛ける際には、フリー状態にあるフックを吊輪上端部近傍の望ましい位置に精度よく停止させるのにかなり手間がかかり、かえって作業効率が低下するおそれがある。
【００１１】
【発明が解決しようとする課題】
そこで、この発明の課題は、簡単な構造で、吊荷に固定された吊輪を人手によらず容易に掛け外しできる外れ止め付クレーンフックを提供することである。
【００１２】
【課題を解決するための手段】
上記の課題を解決するため、この発明は、吊荷に固定された吊輪を外れ止め付クレーンフックに掛ける際は、鉤部の湾曲方向と平行な垂直面内で回動する外れ止め片を取り付けた従来のフックと同様に、フックの平行移動のみで簡単に外れ止めを解除できるようにするとともに、吊輪を外す際には、フックの旋回動作を利用して外れ止めの解除が行えるようにしたのである。
【００１３】
具体的には、クレーンに水平面内で旋回可能に取り付けられるフック本体と、フック本体の鉤部の開口を閉じて鉤部に掛けた吊輪の脱出を防止する外れ止め装置とからなる外れ止め付クレーンフックにおいて、前記外れ止め装置を、前記フック本体の首部に前記鉤部の湾曲方向と平行な垂直面内で回動自在に取り付けられたフレームと、このフレームに前記鉤部の湾曲方向と直交する面内で回動自在に取り付けられて、鉤部の開口を開閉する外れ止め片とを備えたものとする構成を採用したのである。
【００１４】
この構成によれば、吊荷に固定された吊輪をフック本体の鉤部に掛けるときには、吊輪の上端部に接近させたフック本体を平行移動させることによって、外れ止め片を吊輪上端部で鉤部の奥側へ回動させて外れ止めを解除することができ、吊輪を鉤部から外すときは、吊荷を着地させたうえで、フック本体をわずかに下降させて旋回させることにより、外れ止め片を吊輪上端部で鉤部の湾曲方向と直交する方向に回動させて外れ止めを解除できる。これにより、外れ止め解除のための駆動モータや制御装置等を必要とせず、クレーン操作のみで容易に吊輪の掛け外しを行うことができる。
【００１５】
この構成において、前記外れ止め片を、前記鉤部の開口を閉じる方向にばねで付勢することにより、外れ止め機能をより確実なものとすることができる。
【００１６】
また、前記フレームに、前記鉤部の先端側へのフレームの回動を規制するストッパを設けることにより、吊荷を着地させてフック本体を下降させたときに、吊輪上端部がフレームおよび外れ止め片を鉤部先端側へ押しても、外れ止め片とフレームとの接続部に作用する力を抑えて、この接続部の破損を防止することができる。
【００１７】
【発明の実施の形態】
以下、図１乃至図６に基づき、この発明の実施形態を説明する。この外れ止め付クレーンフックは、鋳造工場の取鍋搬送用のもので、図１に示すように、フック本体１に連結部２を介して取り付けられた吊輪部３を天井クレーン４のロータリフック５に掛けた状態で使用され、ロータリフック５の旋回操作により水平面内で旋回させることが可能となっている。フック本体１には、その鉤部１ａの開口を閉じる外れ止め装置６が装着され、鉤部１ａに掛けた取鍋の吊輪Ａが搬送中に脱け出さないようになっている。
【００１８】
図２乃至図４に示すように、前記外れ止め装置６は、フック本体１の首部１ｂに固定されるブラケット７と、このブラケット７にフック本体１の鉤部１ａの湾曲方向と平行な垂直面内で回動自在に取り付けられたフレーム８と、フレーム８に鉤部１ａの湾曲方向と直交する面内で回動自在に取り付けられて、鉤部１ａの開口を開閉する外れ止め片９とで構成されている。
【００１９】
前記ブラケット７は、コの字断面の枠部７ａをフック本体１の首部１ｂ外周に嵌め込み、枠部７ａに抜け止め片７ｂをボルト締めすることにより、フック本体１に固定されている。枠部７ａの前面側には、フレーム支持ピン１０を通す筒部７ｃが設けられている。
【００２０】
前記フレーム８は、その両側部８ａ、８ａの上端部近傍を、ブラケット７の筒部７ｃに通したフレーム支持ピン１０に回動自在に支持されて、フック本体１の鉤部１ａの湾曲方向と平行な垂直面内で回動する。なお、フレーム支持ピン１０は、図示は省略するが、両端部に径方向貫通孔を有し、この貫通孔に通した割りピンで抜け止めされている。
【００２１】
フレーム両側部８ａ、８ａには、コの字状のレバー１１が、フレーム８後方へ延びるように溶接されている。レバー１１には、コの字断面の内側に中桟状のストッパ１２が設けられており、このストッパ１２がフック本体１の鉤部１ａの背面に当接することにより、フレーム８の鉤部１ａ先端側への回動が規制されるようになっている。
【００２２】
また、フレーム８前面には、その上半部よりも奥側に形成された下半部の中央に、外れ止め片９を回動自在に支持する支軸８ｂが設けられ、支軸８ｂの近傍に、外れ止め片９の回動を規制する突起８ｃが設けられている。
【００２３】
前記外れ止め片９は、その基端部９ａをフレーム８の支軸８ｂに回動自在に通されて、フック本体１の鉤部１ａの湾曲方向と直交する面内で回動し、支軸８ｂにねじ込んだボルト１３の頭部で抜け止めされている。また、外れ止め片９とフレーム８との間には、外れ止め片９を鉤部１ａの開口を閉じる方向に付勢するコイルばね１４が組み込まれており、このばね１４で付勢された外れ止め片９がフレーム８前面の突起８ｃで係止されて、鉤部１ａの開口が搬送中に容易に開放されないようになっている。
【００２４】
次に、図５および図６に基づいて、このクレーンフックに取鍋の吊輪を掛け外しするときの作業方法について説明する。吊輪Ａを掛けるときには、図５（ａ）に示すように、クレーン操作により、吊輪Ａの上端部に接近させたフック本体１を図中の矢印の方向に上昇させる。これにより、吊輪Ａ上端部に押された外れ止め片９がフレーム８と一体にフック本体１の鉤部１ａの奥側へ回動して、鉤部１ａの開口が開放されるので、外れ止めを解除しながら吊輪Ａを鉤部１ａに掛けることができる。吊輪Ａ上端部が鉤部１ａの開口を通過すると、図５（ｂ）に示すように、外れ止め片９はフレーム８とともに自重により元の位置へ戻り、鉤部１ａの開口が閉じられて、取鍋の搬送が可能な状態となる。
【００２５】
一方、取鍋搬送後に吊輪Ａをフックから外すときは、まず、取鍋を着地させたうえで、図５（ｂ）に示した状態から、図６（ａ）に示すように、フック本体１を図中の矢印の方向にわずかに下降させ、外れ止め片９を吊輪Ａ上端部でスムーズに押し回される位置にセットする。このとき、吊輪Ａ上端部が外れ止め装置６に衝突しても、フレーム８後面側のストッパ１２がフック本体１の鉤部１ａの背面に当接して、フレーム８の鉤部１ａ先端側への回動が規制されるので、外れ止め片９とフレーム８との接続部に大きな力が作用することはなく、この接続部を構成するフレーム８の支軸８ｂやボルト１３が破損するおそれはない。
【００２６】
次に、このクレーンフックを掛けているクレーン４のロータリフック５を旋回操作して、フック本体１を水平面内で旋回させる。これにより、図６（ｂ）に示すように、吊輪Ａ上端部に押された外れ止め片９が鉤部１ａの湾曲方向と直交する方向に回動して、鉤部１ａの開口が開放され、外れ止めが解除される。この状態でフック本体１の旋回を止め、フック本体１を平行移動させて吊輪Ａから離すことにより、玉掛作業者なしで吊輪Ａを外すことができる。
【００２７】
なお、このクレーンフックでは、吊輪Ａを外すのに上述のような特殊なクレーン操作が必要となるため、搬送中に取鍋が他の設備に接触したりしても、その衝撃で外れ止めが解除されることはなく、外れ止め機能の面でも従来とほとんど変わらない。
【００２８】
また、搬送の対象は実施形態のような取鍋に限らず、固定された吊輪を有する吊荷であれば、上述した方法で人手によらず外れ止めの解除を行うことができ、玉掛作業者なしでの搬送作業が可能である。
【００２９】
さらに、外れ止め装置６のフレーム８に取り付けたレバー１１を用いれば、人手でも外れ止めの解除ができるので、固定された吊輪のない吊荷をワイヤロープ等を用いて搬送することもできる。
【００３０】
【発明の効果】
以上のように、この発明の外れ止め付クレーンフックは、吊荷に固定された吊輪を掛けるときは、フックの平行移動のみで簡単に外れ止めを解除でき、吊輪を外すときには、フックの旋回動作を利用して外れ止めの解除が行えるようにしたものであるから、クレーン操作のみで容易に吊輪の掛け外しを行うことができる。従って、人手による玉掛作業をなくすことができ、クレーン搬送の作業効率や安全性を向上させることができる。しかも、外れ止め装置が駆動モータや制御装置等を必要とせず、構造が簡単なので、設備コストが安く、メンテナンスにも手間がかからない。
【００３１】
また、外れ止め装置を取り付けるのにフック本体の首部を長くする等の改造も不要なので、既存のクレーンフックにも容易に適用することができる。
【図面の簡単な説明】
【図１】実施形態の外れ止め付クレーンフックの使用状態を示す側面図
【図２】図１の要部拡大正面図
【図３】図１のクレーンフックの外れ止め装置の斜視図
【図４】図３の側面断面図
【図５】ａ、ｂは、それぞれ図１のクレーンフックへ吊輪を掛けるときの動作を説明する側面図
【図６】ａ、ｂは、それぞれ図１のクレーンフックから吊輪を外すときの動作を説明する側面図および正面図
【符号の説明】
１  フック本体
１ａ  鉤部
１ｂ  首部
２  連結部
３  吊輪部
４  天井クレーン
５  ロータリフック
６  外れ止め装置
７  ブラケット
７ａ  枠部
７ｂ  抜け止め片
７ｃ  筒部
８  フレーム
８ａ  側部
８ｂ  支軸
８ｃ  突起
９  外れ止め片
９ａ  基端部
１０  ピン
１１  レバー
１２  ストッパ
１３  ボルト
１４  ばね
Ａ  吊輪
【図１】
2005022806.tif 000003
【図２】
2005022806.tif 000004
【図３】
2005022806.tif 000005
【図４】
2005022806.tif 000006
【図５】
2005022806.tif 000007
【図６】
2005022806.tif 000008